(57)【特許請求の範囲】
【請求項１】
地中に埋設される排水管路に配設され、前記排水管路に二重トラップが形成された場合に、トラップ内の水で仕切られる前記排水桝の一方の内部空間と他方の内部空間を連通手段を介して連通可能にしたトラップ付き排水桝であって、
前記連通手段は、前記排水桝の内壁に沿ってほぼＵ字状をなしてこの排水桝内壁に取付けられる通気管を用いたものであることを特徴とするトラップ付き排水桝。
【請求項２】
前記連通手段は、前記排水桝内壁に接着剤または固定部材により取付けられる前記通気管と、この通気管の少なくとも一方の開口部を開放，閉塞可能な蓋部材とを備えていることを特徴とする請求項１に記載のトラップ付き排水桝。
【請求項３】
前記通気管は、前記排水桝内壁の曲面に沿うように偏平状をなしていることを特徴とする請求項２に記載のトラップ付き排水桝。
【請求項４】
前記蓋部材は弾力性を有する材料により一体成形され、この蓋部材には、通常は弾力性により閉じているが圧縮空気が供給された場合にのみ開口する通気孔が貫通形成されていることを特徴とする請求項２または３に記載のトラップ付き排水桝。
【請求項５】
前記通気管は、所定形状に成形された硬質合成樹脂管およびゴム管のいずれか一方または両方により構成されていることを特徴とする請求項２ないし４のいずれかの項に記載のトラップ付き排水桝。
【発明の詳細な説明】
【０００１】
【発明の属する技術分野】
本発明は、地中に埋設される排水管路に接続される排水桝にかかり、特に、宅地内に設置されるトラップ付き排水桝に関する。
【０００２】
【従来の技術】
住宅の風呂，台所の流し台，洗面所，洗濯機，トイレなど排水発生源から排出される排水は、宅地内の地中に埋設された排水流入管を流れ、複数の流れの合流地点に設置された宅内桝で合流したのち排水主管を流れる。
そして、排水は、宅地内または宅地外に設置された公共桝と、この公共桝に接続される排水流出管とを流れたのち、宅地外の公共の下水道本管に排出される。
前記宅内桝は、宅地内に設置され各種構造のインバート部を有する桝のことであり、必要に応じてトラップが設けられている場合もある。前記公共桝は、宅地内または宅地外に設置されて、宅地内の排水を宅地外の下水道本管に流し込むための最終の桝のことである。
【０００３】
公共桝，取付け桝と呼ばれる排水桝も宅内桝の一種で、一般的にはすべて排水桝と呼ばれているものであり、これらの排水桝は、ポリ塩化ビニル等の硬質の合成樹脂を材料として形成されている。宅内桝，公共桝など排水桝には上部に掃除口が取付けられ、この掃除口の上端部は蓋により閉塞されている。
前記排水流入管，宅内桝，排水主管，公共桝，排水流出管および公共の下水道本管などにより構成される排水管路は、雨水や地下水などいわゆる不明水が浸入して排水の量が増加しないように全体的に密閉構造になっている。
【０００４】
排水発生源の下部またはこの排水発生源用の排水桝にトラップを設けることにより、排水管路内の臭気の逆流を防止している。トラップは排水桝と排水発生源のいずれか一方のみに設けてあればよいので、排水桝の設置工事の際には、排水発生源側のトラップの有無に応じて、トラップ付きの排水桝またはトラップなしの排水桝を設置する。すなわち、トラップ付き排水桝を設置するのは、排水発生源側にトラップが設けられていない場合に限られる。
しかしながら、排水発生源側のトラップが床下に設置されていて確認が難しい場合などには、うっかりトラップ付き排水桝を設置してしまい、その結果、いわゆる「二重トラップ」が形成されることがある。
また、住宅に住民が住んでいて、住宅内の排水発生源側トラップの有無を確認できないことがあり、この場合にも二重トラップが形成される恐れがある。
【０００５】
この二重トラップが形成されると、排水発生源側のトラップと排水桝のトラップとの間の排水流入管が密閉状態になって、ここに空気が密封された状態になる。その結果、排水発生源で水を流すと、密封された排水流入管の内部は排水の流れにより負圧（または正圧（以下同じ））になって、排水が流れにくくなり管詰まりの可能性が高くなる。
また、排水流入管の内部が負圧になると、この排水流入管の上流側や中間部に付いているトラップの内部の水が引っ張られ、その結果、水封が壊れるいわゆる「封水破壊」を引き起こす恐れがある。
この時にゴボゴボと大きな音が発生して苦情の原因になったり、トラップ内の水がなくなると、その器具（排水発生源）から臭気が漏れ出る等のトラブルが発生する。
たとえば、アパートやマンション等では、一つの排水流入管に複数の器具が接続されていることが多い。このような排水管路で二重トラップが形成された場合、上の階から一時に多量の排水を流すと、階下では、器具のトラップ内の水が吹き出すか（いわゆる、はね出し作用）または引っ張られることにより（いわゆる、吸い出し作用）、トラップ内の水がなくなって封水破壊が生じることがある。
すると、前記トラブルに加えて、他の所の器具で流した排水の音などが、連通する排水流入管を通して大きな音となって器具から聞こえてくるなどのトラブルも発生する。
【０００６】
このように、二重トラップは前記封水破壊および管詰まり等のトラブルを引き起こす恐れがあるので、二重トラップが万一形成されてしまった場合には、これを直ちに手直しする必要ある。
二重トラップの対策として、特開平９−１２５５０８号公報には、出し入れ自在な仕切り板を排水桝に取付けてトラップ付き排水桝とした技術が開示されている。この従来技術では、二重トラップが形成された時には、仕切り板を取り外すことによりトラップなしの排水桝に変更して、二重トラップを解消するようにしている。
【０００７】
【発明が解決しようとする課題】
しかしながら、前記特開平９−１２５５０８号公報に記載の特殊なトラップ付き排水桝では、二重トラップが形成されていない正常な配管の場合に、前記仕切り板のシール部からトラップ内の水が漏れ出るとこの排水桝はトラップ機能を発揮できず、臭気が逆流する恐れがあった。また、排水桝全体の構造が複雑化するとともに部品点数も多くなり、コスト高になっていた。
【０００８】
二重トラップに対する他の対策としてトラップ付き排水桝の上部に設けられた掃除口上部の蓋に孔を形成して通気する技術も提案されている。ところが、この場合には、雨水など不明水や土砂が蓋の孔を通って排水管路内に浸入する恐れがある。
この不明水などの浸入を防止するために、蓋の孔の周囲を地面より上方に突出させると、この突出部が邪魔になって、人間が歩く場合にこの突出部に足を引っかけてつまづく恐れがある。
【０００９】
本発明は、このような課題を解決するためになされたもので、排水管路に二重トラップが形成されていない正常な配管の場合にはトラップの機能を発揮し、二重トラップが形成された場合には簡単な手直し作業で封水破壊等のトラブルを解消することができ、不明水などが浸入する恐れのないトラップ付き排水桝を提供することを目的とする。
【００１０】
【課題を解決するための手段】
上述の目的を達成するため、本発明にかかるトラップ付き排水桝は、地中に埋設される排水管路に配設され、前記排水管路に二重トラップが形成された場合に、トラップ内の水で仕切られる前記排水桝の一方の内部空間と他方の内部空間を連通手段を介して連通可能にしたトラップ付き排水桝であって、前記連通手段は、前記排水桝の内壁に沿ってほぼＵ字状をなしてこの排水桝内壁に取付けられる通気管を用いたものである。
前記連通手段は、前記排水桝内壁に接着剤または固定部材により取付けられる前記通気管と、この通気管の少なくとも一方の開口部を開放，閉塞可能な蓋部材とを備えているのが好ましい。
前記通気管は、前記排水桝内壁の曲面に沿うように偏平状をなしているのが好ましい。
また、前記蓋部材は弾力性を有する材料により一体成形され、この蓋部材には、通常は弾力性により閉じているが圧縮空気が供給された場合にのみ開口する通気孔が貫通形成されているのが好ましい。
なお、前記通気管は、所定形状に成形された硬質合成樹脂管およびゴム管のいずれか一方または両方により構成されているのが好ましい。
【００１１】
【発明の実施の形態】
以下、本発明にかかる実施の形態の一例を図１ないし図９を参照して説明する。
（第１の実施形態）
図１ないし図５は第１の実施形態を示す図で、図１はトラップ付き排水桝を含む排水管路を示す概略説明図、図２および図３はそれぞれ前記トラップ付き排水桝の正面断面図および平面図、図４中の（Ａ），（Ｂ），（Ｃ）はそれぞれ図２に示す連通手段の正面図，左側面図および平面図、図５は前記連通手段の使用状態の一例を示す説明図である。
【００１２】
図１に示すように、住宅の風呂，台所の流し台，洗面所，洗濯機，トイレなど排水発生源１から排出される排水は、排水発生源１に接続された排水流入管２を流れて合流地点３で排水主管４に合流する。
合流地点３には、トラップ付き排水桝（以下、排水桝と記載）５が排水発生源１毎に設置されている。排水流入管２，排水桝５，排水主管４，および図示しない公共桝，排水流出管，公共の下水道本管などにより、地中に埋設される排水管路６が構成されている。
図１の排水管路６では、住宅７内の流し台が排水発生源１であり、排水発生源１の排出部にはＵ字状の第１のトラップ８が設けられているにもかかわらず、Ｕ字状の第２のトラップ９を有する排水桝５を設置してしまった場合を示している。その結果、排水管路６に二重トラップが形成されている。
【００１３】
図１ないし図３に示すように、排水桝５は、ポリ塩化ビニル，ポリプロピレン，繊維強化プラスチック（ＦＲＰ）など硬質の合成樹脂を材料として一体成形されて地中に埋設される。
排水桝５は、排水主管４が一端と他端にそれぞれ接続される桝本体１５と、桝本体１５の側方に一体的に突出形成されて下向きに開口する連結管１６と、連結管１６の下向きの開口部に一端が連結されたＵ字状のトラップ（すなわち、第２のトラップ）９とを備えている。
桝本体１５の両端部にはそれぞれ排水主管４が接続され、桝本体１５から上方に突出する接続筒１７には、主管掃除管１８がほぼ垂直方向に接続されている。主管掃除管１８の上端には、地面部１９に位置する蓋受け枠２０が取付けられ、蓋受け枠２０には、密閉構造の蓋２１が着脱自在に取付けられている。
接続筒１７，主管掃除管１８，蓋受け枠２０および蓋２１により、主管用の掃除口２２が構成されている。
【００１４】
第２のトラップ９の上方に開口する他端部にはＴ字状の分岐管２３が接続され、分岐管２３の側方には排水流入管２が接続されている。分岐管２３の上方にはトラップ掃除管２４がほぼ垂直方向に接続され、トラップ掃除管２４の上端には、地面部１９に位置する蓋受け枠２５が取付けられている。
蓋受け枠２５には、密閉構造の蓋２６が着脱自在に取付けられている。分岐管２３，トラップ掃除管２４，蓋受け枠２５および蓋２６により、トラップ用の掃除口２７が構成されている。
主管用の蓋２１を開けることにより、主管用の掃除口２２を介して桝本体１５および排水主管４の清掃ができる。トラップ用の蓋２６を開けることにより、トラップ用の掃除口２７を介して第２のトラップ９および排水流入管２の清掃ができる。
【００１５】
次に、排水桝５の内部に設けられた連通手段３０について、図２ないし図４を参照して説明する。
連通手段３０は、排水管路６に第１，第２のトラップ８，９からなる二重トラップが形成された場合に、第２のトラップ９内の水３１で仕切られる排水桝５の一方の内部空間３２と他方の内部空間３３を連通可能にしている。
連通手段３０は、排水桝５の内壁３４に沿ってほぼＵ字状をなして排水桝内壁３４に接着剤または固定部材により取付けられる通気管３５と、この通気管３５の両端の開口部３８，３９のうち少なくとも一方の開口部３９を開放，閉塞可能な蓋部材４０とを備えている。
【００１６】
通気管３５は、排水桝内壁３４の曲面に沿うように偏平状をなしている。通気管３５は、所定形状に成形された硬質合成樹脂管およびゴム管のいずれか一方または両方により構成されており、排水の流れの邪魔にならないような小さな断面寸法の管である。
本実施形態の通気管３５は、ポリ塩化ビニル，ポリプロピレン，繊維強化プラスチックなど硬質の合成樹脂を材料として一体成形されている。
蓋部材４０は、弾力性を有する材料たとえばゴムまたは合成樹脂により一体成形されており、通気管３５の開口部３９内に着脱自在に装着される。蓋部材４０が弾性力に抗して装着されると、開口部３９は密封される。
なお、蓋部材４０を一方の開口部３９のみに装着する場合を示したが、他方の開口部３８に装着する場合や、両方の開口部３８，３９に装着する場合であってもよい。
【００１７】
通気管３５は、上端に開口部３９を有し主管用の掃除口２２内で上下方向を向く主管側直管部４１と、主管側直管部４１の下端部に連続し連結管１６の内壁に沿って密着するように湾曲状に形成された湾曲管部４２と、湾曲管部４２の下端部に連続し、第２のトラップ９の内壁に沿って接触するようにＵ字形に形成されたＵ字状管部４３と、Ｕ字状管部４３に連続し、第２のトラップ９から分岐管２３に至るように上方を向き、トラップ９と分岐管２３の内壁に接触し、主管側直管部４１とほぼ平行に形成されたトラップ側直管部４４とを備えている。
通気管３５は、連結管１６，第２のトラップ９および分岐管２３の内壁に、接着剤により固着されている。
排水桝５の製造では、通気管３５を排水桝５の内部に固着するとともに、蓋部材４０を通気管３５に装着した状態で出荷するのが好ましい。なお、通気管３５は、排水桝５を設置場所に据え付けた後に排水桝５の内部に固着するようにしてもよい。
【００１８】
宅地内に排水管路６を設置する配管工事では、排水桝５内の連通手段３０は、蓋部材４０を通気管３５に装着して、開口部３９を閉じた状態にしておく。この状態では、一方と他方の内部空間３２，３３はトラップ９内の水３１により遮断されているので、この排水桝５はトラップ機能を発揮する。したがって、この排水桝５は、排水発生源側にトラップが設けられていない排水流入管に接続すれば、配管工事は正しく行われたことになる。
ところが、図１に示すように、排水発生源１側に第１のトラップ８が設けられているにもかかわらず、うっかりトラップ付きの排水桝５を排水流入管２に接続して、二重トラップが形成される場合がある。二重トラップが形成されると上述の封水破壊等のトラブルを引き起こすので、これを手直しする必要がある。
【００１９】
そこで、二重トラップであることが分かったら、主管用の蓋２１を取り外し、主管用の掃除口２２の内部にある連通手段３０の蓋部材４０を取り除く。蓋部材４０を取り除くことにより、通気管３５を介して一方と他方の内部空間３２，３３が連通する。
その結果、排水流入管２の内部空間は、排水桝５の一方の内部空間３２，通気管３５，他方の内部空間３３を介して排水主管４と連通するので、通常は大気圧の排水主管４とほぼ同一の空気圧になる。
したがって、排水発生源１で水を流しても、排水流入管２の内部が排水の流れにより負圧になることを防止することができ、二重トラップによる封水破壊等のトラブルを解消することができる。
かかる構成の排水管路６において、排水発生源１から排出された排水は、第１のトラップ８を介して排水流入管２を流れ、分岐管２３から第２のトラップ９を通って連結管１６，桝本体１５から排水主管４に流れ出る。第１のトラップ８で常時水封されているので、排水主管４および排水流入管２からの臭気が排水発生源１の方に逆流することはない。
【００２０】
このように、連通手段３０を排水桝５の内部に設け、蓋部材４０の着脱により、通気管３５を非連通状態または連通状態にすることで、排水桝５におけるトラップ機能の有無を切換えることができる。
通気管３５は、排水桝５の形状に合わせて容易に一体成形できるので、排水桝５自体の設計変更は不要であり、二重トラップに対する対策を低コストで実現することができる。
また、通気管３５は偏平な形状をなして排水桝５の内壁３４に密着しているので、排水に固形物が含まれていても、この固形物が通気管３５に引っかかる恐れはほとんどない。
主管用の蓋２１およびトラップ用の蓋２６は密閉構造なので、この蓋２１，２６から不明水や土砂などが排水管路に浸入することはない。また、蓋２１，２６は地面部１９とほぼ同一面に設置することができるので、人間が歩く場合に蓋２１，２６に足を引っかけてつまずく恐れがなく安全である。
【００２１】
図５は第１の実施形態の変形例を示す図で、前記連通手段３０の使用状態の一例を示す説明図である。
図５に示す連通手段３０において、通気管３５の一方の開口部３９に装着する蓋部材４０ａは、前記蓋部材４０と同様に弾力性を有するゴムまたは合成樹脂により一体成形されている。
また、この蓋部材４０ａには、通常は弾力性により閉じているが圧縮空気が供給された場合にのみ開口する通気孔４５が貫通形成されている。なお、他の構成は第１の実施形態と同様である。
【００２２】
ほとんどあり得ないことであるが、排水桝５がトラップ機能を発揮しないように一方と他方の内部空間３２，３３を連通している通気管３５内に、何等かの原因で水が入ってしまうと、通気性が失われて二重トラップになってしまう。
このような場合に、自転車用の空気入れ４６など圧縮空気発生源を用い、空気噴出孔４７を通気孔４５内に挿入して一気に圧縮空気を供給する。すると、通気孔４５が弾性力に抗して圧縮空気により開いて、圧縮空気が通気管３５内に噴出するので、通気管３５内の水が吹き飛ばされて前記通気性を回復させることができる。
【００２３】
（第２の実施形態）
図６は本発明の第２の実施形態にかかるトラップ付き排水桝５０の正面断面図で、図２相当図である。なお、第２，第３の実施形態において、第１の実施形態と同一または相当部分には同一符号を付してその説明を省略し、異なる部分のみ説明する。
図６に示すように、排水桝（トラップ付き排水桝）５０において、連通手段５１は内部空間３２，３３を連通可能にしている。連通手段５１の通気管５２は、排水桝５０の内壁３４に沿ってほぼＵ字状をなしており、一つまたは複数のリング状の固定部材５３で排水桝内壁３４に取付けられている。たとえば二つの固定部材５３が、分岐管２３の内壁と連結管１６の内壁にそれぞれ固定されて、通気管５２を支持している。
【００２４】
通気管５２は、Ｊ字状に成形され復元性を有するようなゴム管５４と、ゴム管５４に連結部材５５を介して連結された硬質合成樹脂管５６とにより構成されている。
ゴム管５４は、自動車のエンジンルーム内で高熱水用の圧力ホースやエアコンホース等として使用されている布引きのゴムホース等が好ましい。このようなホースであれば、所定形状に形成することができ、また、柔軟性と復元性を有しているので、丸めて手の内に収めても手を離すと元通りの形状に復元するので取付け作業が容易であり、長期間の使用にも耐えられる。
固定部材５３，樹脂管５６は、ポリ塩化ビニル，ポリプロピレン，繊維強化プラスチックなど硬質の合成樹脂により一体成形されている。なお、固定部材５３は金属製でもよい。固定部材５３は、排水桝５０の成形時に一体成形してもよいが、排水桝５０の内壁３４に接着剤により固着してもよい。
ゴム管５４が所定形状に復元することができるので、通気管５２を排水桝５０の内部に容易に設置することができる。なお、通気管５２の全体をゴム管５４で構成してもよい。
【００２５】
図７は第２の実施形態の変形例を示す部分平面断面図である。
図７に示すように、通気管５２を排水桝５０内に支持するための固定部材５３ａをＣ形に形成して、排水桝５０の内壁３４に固定してもよい。固定部材５３ａは前記硬質合成樹脂により形成されている。
このようにすれば、弾力性を有する通気管５２を、横方向から固定部材５３ａに容易に装着することができる。
【００２６】
（第３の実施形態）
図８は本発明の第３の実施形態にかかる排水桝（トラップ付き排水桝）６０の正面断面図、図９は図８に示す連通手段６１の拡大平面図である。
図８および図９に示すように、連通手段６１を構成する通気管としてのゴム管６２は、排水桝６０の内壁３４に沿ってほぼＵ字状をなしており、前記布引きのゴムホースにより一体的に形成されている。
ゴム管６２を排水桝内壁３４に取付けるための固定部材６３は、予めゴム管６２に固着されている。固定部材６３は、ポリ塩化ビニルなど前記硬質合成樹脂により一体的に形成されている。
固定部材６３の接着面６４は、主管掃除管１８の内周面１８ａに密着するように曲面状に形成されているので、接着剤により内周面１８ａに強く固着される。この場合には、主管掃除管１８の内周面１８ａを、排水桝内壁３４の一部とみなしている。蓋部材４０は、ゴム管６２の一方または両方の開口部を開放，閉塞可能になっている。
【００２７】
第２，第３の実施形態では、排水桝５０，６０を設置するまでは通気管５２，ゴム管６２を設けない状態にしておく。二重トラップでない正常な配管の時は、排水桝５０，６０は、トラップ機能を発揮する通常のトラップ付き排水桝として使用される。
施工後に二重トラップであることが判明した時点で、通気管５２またはゴム管６２を排水桝５０または６０の内部に設置するとともに、蓋部材４０を取り外せば、両方の内部空間３２，３３が連通するので、二重トラップによる封水破壊等のトラブルを解消することができる。
ゴム製の管５４，６２は柔軟性があるので、排水桝５０，６０の内部に容易に挿入することができる。この取付け作業の際に、たとえば蓋部材４０をゴム製の通気管の開口部に一時的に装着して、通気管の内部に水が浸入しないようにしておくのが好ましい。
【００２８】
その後、第２の実施形態では、通気管５２を固定部材５３に装着して位置決め固定する。第３の実施形態では、固定部材６３を主管掃除管１８の内周面１８ａに接着剤により固着する。なお、固定部材６３を分岐管２３または連結管１６の内壁に固着するようにしてもよい。
こうして通気管５２またはゴム管６２を取付けたのち蓋部材４０を取り外せば、両方の内部空間３２，３３が通気管５２，ゴム管６２を介して連通する。これにより、二重トラップによる封水破壊等のトラブルを解消することができる。
通気管５２，ゴム管６２は長めのものを準備し、設置現場での寸法に応じて端部をカッターナイフ等で切断すればよいので、取付け作業が簡単である。
【００２９】
ところで、トラップ付き排水桝を設置した際、二重トラップが形成されたか否かは、住宅に人間が数日間生活した後でないと分からないケースが多いが、二重トラップの発生頻度は極めて稀である。
このように、滅多に発生しない二重トラップによる封水破壊等のトラブルを予防するために、前記特開平９−１２５５０８号公報に記載のような特殊な二重トラップ防止用の排水桝を取付けたとしても、二重トラップが発生すれば、施工業者が施工現場に行って手直し作業を行うことに変わりはなく、排水桝のコストも高い。また、この従来の排水桝の場合には、上述のように仕切り板のシール部から臭気が逆流する恐れがある。
【００３０】
これに対して、本発明の排水桝５，５０，６０であれば、二重トラップのない正常な配管の場合にはトラップの機能を発揮する。また、排水管路６に第１，第２のトラップ８，９による二重トラップが形成されたことが分かった時には、施工業者が訪問して、蓋部材４０を取り外すかまたは通気管を取付ける簡単な手直し作業を行えばよい。これだけで、二重トラップに特有の封水破壊等のトラブルを解消することができるので、施工業者にとって極めて好都合である。
排水桝５，５０，６０自体の構造は特殊なものでなくても、連通手段３０，５１，６１を容易に追加することができるので、排水桝自体を設計変更する必要がなく、構造がシンプルでコストもそれほどかからない。
【００３１】
なお、蓋部材４０は、内部空間３２，３３間に空気圧の差が生じた時に、この空気圧により自動的に開くような構造であってもよい。このようにすれば、二重トラップの発生の有無にかかわらず、蓋部材４０を取付けたままにしておくことができ、手直し作業の必要がなくなるので好ましい。
なお、各図中同一符号は同一または相当部分を示す。
【００３２】
【発明の効果】
本発明にかかるトラップ付き排水桝は、上述のように構成したので、排水管路に二重トラップが形成されていない正常な配管の場合にはトラップの機能を発揮し、二重トラップが形成された場合には簡単な手直し作業で封水破壊等のトラブルを解消することができ、不明水などが浸入する恐れもない。
【図面の簡単な説明】
【図１】図１ないし図５は本発明の第１の実施形態を示す図で、図１はトラップ付き排水桝を含む排水管路を示す概略説明図である。
【図２】前記トラップ付き排水桝の正面断面図である。
【図３】前記トラップ付き排水桝の平面図である。
【図４】図中（Ａ），（Ｂ），（Ｃ）はそれぞれ図２に示す連通手段の正面図，左側面図，平面図である。
【図５】第１の実施形態の変形例を示す図で、前記連通手段の使用状態の一例を示す説明図である。
【図６】本発明の第２の実施形態にかかるトラップ付き排水桝の正面断面図である。
【図７】第２の実施形態の変形例を示す部分平面断面図である。
【図８】本発明の第３の実施形態にかかるトラップ付き排水桝の正面断面図である。
【図９】図８に示す連通手段の拡大平面図である。
【符号の説明】
５，５０，６０      トラップ付き排水桝
６      排水管路
８      第１のトラップ
９      第２のトラップ（トラップ）
３０，５１，６１    連通手段
３１    トラップ内の水
３２    一方の内部空間
３３    他方の内部空間
３４    内壁
３５，５２    通気管
３８，３９    開口部
４０，４０ａ  蓋部材
４５    通気口
５３，５３ａ，６３  固定部材
５４    ゴム管
５６    硬質合成樹脂管
６２    ゴム管（通気管）
【図１】
0004113630.tif 000002
【図２】
0004113630.tif 000003
【図３】
0004113630.tif 000004
【図４】
0004113630.tif 000005
【図５】
0004113630.tif 000006
【図６】
0004113630.tif 000007
【図７】
0004113630.tif 000008
【図８】
0004113630.tif 000009
【図９】
0004113630.tif 000010